(57)【要約】【課題】冷媒が漏洩している部屋にいる人の安全を確保できると共に、冷媒が漏洩している部屋周辺の部屋にいる人の安全も確保することができる報知システムを提供する。【解決手段】報知システムは、異なる部屋に配置される複数の報知装置を備え、前記報知装置のそれぞれは、冷媒を検出する検出装置と、前記検出装置が冷媒を検出した際、文字、画像、音及び光のうちの少なくとも１つを情報として出力する出力装置と、を有し、複数の前記報知装置のうち、前記検出装置で冷媒を検出した前記報知装置を第１報知装置とし、前記第１報知装置が配置されている部屋を第１部屋とし、前記第１部屋及び前記第１部屋に隣接する部屋を含む領域を報知領域とした場合、前記第１報知装置の前記検出装置が冷媒を検出した際、前記報知領域内の部屋に配置された前記報知装置の前記出力装置が前記情報を出力する構成となっている。【選択図】図１
2019039567.tif 000002
【特許請求の範囲】
【請求項１】
異なる部屋に配置される複数の報知装置を備え、
前記報知装置のそれぞれは、
冷媒を検出する検出装置と、
前記検出装置が冷媒を検出した際、文字、画像、音及び光のうちの少なくとも１つを情報として出力する出力装置と、を有し、
複数の前記報知装置のうち、前記検出装置で冷媒を検出した前記報知装置を第１報知装置とし、
前記第１報知装置が配置されている部屋を第１部屋とし、
前記第１部屋及び前記第１部屋に隣接する部屋を含む領域を報知領域とした場合、
前記第１報知装置の前記検出装置が冷媒を検出した際、
前記報知領域内の部屋に配置された前記報知装置の前記出力装置が前記情報を出力する構成である報知システム。
【請求項２】
空気調和機の室内機を複数備え、
前記報知装置のそれぞれは、異なる前記室内機に搭載されている請求項１に記載の報知システム。
【請求項３】
前記検出装置のそれぞれの前記出力装置は、音を出力する構成であり、
前記第１報知装置の前記出力装置が出力する音の大きさは、
前記第１報知装置以外の前記報知装置の前記出力装置が出力する音よりも大きい請求項１又は請求項２に記載の報知システム。
【請求項４】
前記第１報知装置の前記検出装置が冷媒を検出した際、
前記報知領域内の部屋に配置された前記報知装置の前記出力装置が音を出力すると共に、
前記報知領域外の部屋に配置された前記報知装置の前記出力装置も音を出力する構成であり、
前記報知領域内の部屋に配置された前記報知装置の前記出力装置が出力する音の大きさは、前記報知領域外の部屋に配置された前記報知装置の前記出力装置が出力する音よりも大きい請求項３に記載の報知システム。
【請求項５】
前記第１報知装置の前記検出装置が冷媒を検出した際、
前記報知領域外の部屋に配置された前記報知装置の前記出力装置は音を出力しない構成である請求項３に記載の報知システム。
【請求項６】
前記第１報知装置の前記検出装置の検出値と基準値との差の絶対値が閾値よりも多い場合、前記絶対値が前記閾値以下の場合と比べて、前記報知領域の大きさが大きくなる構成である請求項１〜請求項５のいずれか一項に記載の報知システム。
【請求項７】
前記第１報知装置の前記検出装置が検出する冷媒の種類によって、前記報知領域の大きさが異なる構成である請求項１〜請求項６のいずれか一項に記載の報知システム。
【請求項８】
前記検出装置のそれぞれの前記出力装置は、文字及び画像のうちの少なくとも一方を前記情報として出力する構成であり、
前記情報を出力する前記出力装置のそれぞれは、避難経路情報を出力する構成である請求項１〜請求項７のいずれか一項に記載の報知システム。
【請求項９】
前記検出装置のそれぞれの前記出力装置は、文字及び画像のうちの少なくとも一方を前記情報として出力する構成であり、
前記情報を出力する前記出力装置のそれぞれは、前記第１部屋の位置情報を出力する構成である請求項１〜請求項８のいずれか一項に記載の報知システム。
【発明の詳細な説明】
【技術分野】
【０００１】
本発明は、部屋に冷媒が漏洩した際、在室者に冷媒が漏洩したことを報知する報知システムに関する。
【背景技術】
【０００２】
近年、地球温暖化防止の観点より、温室効果ガスの削減が求められている。空気調和機等の冷凍サイクル装置に用いられている冷媒についても、地球温暖化係数（ＧＷＰ）のより低いものが検討されている。このような地球温暖化係数が比較的低い冷媒には、吸引した場合、人体に影響を及ぼす冷媒が存在する。また、このような地球温暖化係数が比較的低い冷媒には、可燃性の冷媒も存在する。なお、本明細書では、所謂強燃性冷媒と言われている冷媒、及び所謂微燃性と言われている冷媒も、可燃性冷媒と称することとする。
【０００３】
このため、従来、冷媒が漏洩した部屋にいる人の安全を確保する技術が提案されている（例えば、特許文献１参照）。特許文献１に記載の空気調和機の室内機は、冷媒ガスを検出する検出センサーを備えている。そして、特許文献１に記載の空気調和機の室内機は、検出センサーによって部屋に冷媒が漏洩したことを検出すると、ファンを回転させて送風し、部屋に漏洩した冷媒が局所的に滞留することの抑制を図っている。
【先行技術文献】
【特許文献】
【０００４】
【特許文献１】特開２０１６−１０９３５６号公報
【発明の概要】
【発明が解決しようとする課題】
【０００５】
漏洩した冷媒は、冷媒が漏洩している部屋と隣接している部屋にいる人等、冷媒が漏洩している部屋周辺の部屋にいる人にも影響を及ぼす可能性がある。例えば、可燃性冷媒が漏洩した際、可燃性冷媒の濃度が既定値以上に上昇すると、引火又は発火によって爆発が発生する場合がある。このような場合、冷媒が漏洩している部屋周辺の部屋にいる人にも、影響を及ぼす可能性がある。しかしながら、上述の従来の技術は、冷媒が漏洩している部屋にいる人の安全の確保を図った技術である。すなわち、上述の従来の技術は、冷媒が漏洩している部屋周辺の部屋にいる人の安全の確保までは考慮されていない。このため、上述の従来の技術は、冷媒が漏洩している部屋周辺の部屋にいる人の安全を確保できていないという課題があった。
【０００６】
本発明は、上述のような課題を達成するためになされたものであり、冷媒が漏洩している部屋にいる人の安全を確保できると共に、冷媒が漏洩している部屋周辺の部屋にいる人の安全も確保することができる報知システムを提供することを目的とする。
【課題を解決するための手段】
【０００７】
本発明に係る報知システムは、異なる部屋に配置される複数の報知装置を備え、前記報知装置のそれぞれは、冷媒を検出する検出装置と、前記検出装置が冷媒を検出した際、文字、画像、音及び光のうちの少なくとも１つを情報として出力する出力装置と、を有し、複数の前記報知装置のうち、前記検出装置で冷媒を検出した前記報知装置を第１報知装置とし、前記第１報知装置が配置されている部屋を第１部屋とし、前記第１部屋及び前記第１部屋に隣接する部屋を含む領域を報知領域とした場合、前記第１報知装置の前記検出装置が冷媒を検出した際、前記報知領域内の部屋に配置された前記報知装置の前記出力装置が前記情報を出力する構成となっている。
【発明の効果】
【０００８】
本発明に係る報知システムにおいては、第１部屋で冷媒が漏洩した際、該第１部屋に配置された第１報知装置の出力装置が、情報を出力する。このため、第１部屋にいる人は、出力装置から情報が出力されていることに気づき、避難することができる。したがって、本発明に係る報知システムは、冷媒が漏洩している部屋にいる人の安全を確保できる。また、本発明に係る報知システムにおいては、冷媒が漏洩した第１部屋周辺の部屋に配置された報知装置の出力装置も、情報を出力する。このため、冷媒が漏洩した第１部屋周辺の部屋にいる人も、出力装置から情報が出力されていることに気づき、避難することができる。したがって、本発明に係る報知システムは、冷媒が漏洩した第１部屋周辺の部屋にいる人の安全も確保することができる。
【図面の簡単な説明】
【０００９】
【図１】本発明の実施の形態に係る報知システムを示す図である。
【図２】本発明の実施の形態に係る報知システムの別の一例を示す図である。
【図３】本発明の実施の形態に係る報知システムの別の一例を示す図である。
【発明を実施するための形態】
【００１０】
実施の形態．
図１は、本発明の実施の形態に係る報知システムを示す図である。なお、図１は、報知システム１を建物に設置した例を示している。
本実施の形態に係る報知システム１は、異なる部屋に配置される複数の報知装置１０を備えている。なお、図１に示すように、本実施の形態では、１４個の部屋１０１〜１１４に報知装置１０を設置した報知システム１の設置例に基づき、報知システム１について説明していく。すなわち、本実施の形態に係る報知システム１は、部屋数と同数である１４個の報知装置１０を備えている。
【００１１】
報知装置１０のそれぞれは、検出装置１１及び出力装置１２を備えている。検出装置１１は、冷媒を検出するものである。具体的には、検出装置１１は、該検出装置１１が配置されている部屋に漏洩した冷媒を検出するものである。なお、検出装置１１の構成は、特に限定されるものではなく、冷媒を検出する公知の構成を採用することができる。例えば、検出装置１１として、冷媒を検出する公知の冷媒検出センサーを用いてもよい。また、従来、冷媒回路に圧力センサーを設け、該圧力センサーの検出圧力が規定圧力よりも減少した際、冷媒が漏洩したことを検出する構成も知られている。すなわち、このような圧力センサーを用いた公知の冷媒漏洩の検出構成は、圧力センサーによって冷媒回路内の冷媒量が減少したことを検出することにより、部屋に漏洩した冷媒を間接的に検出する。検出装置１１の構成として、このような圧力センサーを用いた公知の冷媒漏洩の検出構成を採用してもよい。
【００１２】
出力装置１２は、検出装置１１が冷媒を検出した際、情報を出力するものである。すなわち、出力装置１２は、情報を出力することにより、部屋に冷媒が漏洩したことを報知するものである。なお、出力装置１２は、検出装置１１が冷媒を検出した際、文字、画像、音及び光のうちの少なくとも１つを情報として出力する。例えば、出力装置１２が文字及び画像のうちの一方を出力する場合、出力装置１２は、モニター等の表示装置を備える。また例えば、出力装置１２が音を出力する場合、出力装置１２は、スピーカー等の音出力装置を備える。また例えば、出力装置１２が光を出力する場合、出力装置１２は、発光ダイオード等を用いた発光装置を備える。
【００１３】
ここで、本実施の形態に係る報知システム１は、空気調和機の室内機２０を複数備えている。具体的には、報知システム１は、報知装置１０と同数の室内機２０を備えている。そして、報知装置１０のそれぞれは、異なる室内機２０に搭載されている。換言すると、複数の室内機２０を備えた空気調和システムは、報知システム１を備えている。なお、室内機２０のそれぞれは、図示せぬ室外機と冷媒配管で接続されて、空気調和機を構成している。この際、室内機２０と室外機との接続構成は任意である。例えば、１つの室内機２０に１つの室外機を接続し、空気調和機を構成してもよい。また例えば、複数の室内機２０に１つの室外機を接続し、所謂マルチ型の空気調和機を構成してもよい。
【００１４】
報知装置１０を室内機２０に搭載することにより、室内機２０を部屋に設置することで、報知装置１０も該部屋に設置することができる。このため、報知装置１０の設置が容易となる。また、報知装置１０を室内機２０に搭載することにより、室内機２０を制御する制御装置は、報知装置１０の検出装置１１の検出結果を、室内機２０の制御に反映させることができる。例えば、部屋１０４に配置された報知装置１０の検出装置１１が、部屋１０４に漏洩した冷媒を検出したとする。この場合、部屋１０４に設置された室内機２０の運転を停止させることができる。これにより、部屋１０４に漏洩する冷媒量を抑制することができ、部屋１０４にいる人の安全性が向上する。
【００１５】
なお、報知装置１０を室内機２０に搭載しない構成としても、勿論よい。報知装置１０のそれぞれを、すでに室内機２０が設置されている部屋に配置することができる。すなわち、すでに空気調和システムが設けられている建物に、本実施の形態に係る報知システム１を設けることができる。また、室内機２０が設けられていない部屋に、報知装置１０を配置することもできる。
【００１６】
報知装置１０のそれぞれは、互いに有線で接続されている。詳しくは、報知システム１は、集中コントローラ３０を備えている。また、集中コントローラ３０は、制御装置３１を備えている。そして、報知装置１０のそれぞれは、通信線２１で制御装置３１と接続されている。すなわち、報知装置１０のそれぞれは、集中コントローラ３０の制御装置３１を介して、互いに有線で接続されている。なお、報知装置１０のそれぞれと集中コントローラ３０の制御装置３１とは、無線で接続されていてもよい。
【００１７】
制御装置３１は、報知装置１０のそれぞれを制御するものである。なお、本実施の形態に係る制御装置３１は、室内機２０のそれぞれの運転状態も制御する。この制御装置３１は、専用のハードウェア、又はメモリに格納されるプログラムを実行するＣＰＵ（Ｃｅｎｔｒａｌ  Ｐｒｏｃｅｓｓｉｎｇ  Ｕｎｉｔ）で構成されている。なお、ＣＰＵは、中央処理装置、処理装置、演算装置、マイクロプロセッサ、マイクロコンピュータ、又はプロセッサともいう。
【００１８】
制御装置３１が専用のハードウェアである場合、制御装置３１は、例えば、単一回路、複合回路、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＦＰＧＡ（ｆｉｅｌｄ−ｐｒｏｇｒａｍｍａｂｌｅ  ｇａｔｅ  ａｒｒａｙ）、又はこれらを組み合わせたものが該当する。制御装置３１が実現する各機能部のそれぞれを、個別のハードウェアで実現してもよいし、各機能部を一つのハードウェアで実現してもよい。
【００１９】
制御装置３１がＣＰＵの場合、制御装置３１が実行する各機能は、ソフトウェア、ファームウェア、又はソフトウェアとファームウェアとの組み合わせにより実現される。ソフトウェア及びファームウェアはプログラムとして記述され、メモリに格納される。ＣＰＵは、メモリに格納されたプログラムを読み出して実行することにより、制御装置３１の各機能を実現する。ここで、メモリは、例えば、ＲＡＭ、ＲＯＭ、フラッシュメモリ、ＥＰＲＯＭ、又はＥＥＰＲＯＭ等の、不揮発性又は揮発性の半導体メモリである。
【００２０】
なお、制御装置３１の機能の一部を専用のハードウェアで実現し、一部をソフトウェア又はファームウェアで実現するようにしてもよい。
【００２１】
本実施の形態に係る制御装置３１は、報知装置１０を制御するための機能部として、記憶部３２及び制御部３３を備えている。記憶部３２は、報知領域４０を記憶している。本実施の形態では、検出装置１１で冷媒を検出した報知装置１０が配置されている部屋と、該部屋に隣接している部屋とを、報知領域４０としている。例えば、部屋１０４に配置された報知装置１０の検出装置１１が、部屋１０４に漏洩した冷媒を検出したとする。この場合、部屋１０４と、部屋１０４に隣接する部屋１０３及び部屋１０５とが、報知領域４０となる。
ここで、検出装置１１で冷媒を検出した報知装置１０が、本発明の第１報知装置に相当する。また、検出装置１１で冷媒を検出した報知装置１０が配置されている部屋が、本発明の第１部屋に相当する。
【００２２】
制御部３３は、ある報知装置１０の検出装置１１で冷媒を検出した際、報知領域４０内の部屋に配置された報知装置１０の出力装置１２から情報を出力させるものである。例えば、部屋１０４に配置された報知装置１０の検出装置１１が、部屋１０４に漏洩した冷媒を検出したとする。この場合、部屋１０４に配置された報知装置１０は、出力装置１２から情報を出力する。また、部屋１０４に配置された報知装置１０の検出装置１１は、制御部３３に、冷媒を検出したことを示す信号を送る。そして、部屋１０４に配置された報知装置１０の検出装置１１から信号を受けた制御部３３は、部屋１０３及び部屋１０５に配置された報知装置１０の出力装置１２から情報を出力させる。
【００２３】
なお、集中コントローラ３０を設けず、報知装置１０のそれぞれが記憶部３２及び制御部３３を備える構成としてもよい。この場合、報知装置１０のそれぞれは、集中コントローラ３０を介さずに、互いに有線又は無線で接続されることとなる。そして、報知装置１０のそれぞれは、次のように動作することとなる。
【００２４】
詳しくは、ある報知装置１０の検出装置１１で冷媒を検出した際、この報知装置１０は、出力装置１２から情報を出力する。また、この報知装置１０の制御部３３は、記憶部３２に記憶されている報知領域４０内の部屋に配置された報知装置１０に、冷媒を検出したことを示す信号を送る。そして、報知領域４０内の部屋に配置された報知装置１０は、この信号を受けて、出力装置１２から情報を出力する。例えば、部屋１０４に配置された報知装置１０の検出装置１１が、部屋１０４に漏洩した冷媒を検出したとする。この場合、部屋１０４に配置された報知装置１０は、出力装置１２から情報を出力する。また、部屋１０４に配置された報知装置１０の制御部３３は、部屋１０３及び部屋１０５に配置された報知装置１０に、冷媒を検出したことを示す信号を送る。そして、部屋１０３及び部屋１０５に配置された報知装置１０は、出力装置１２から情報を出力する。
【００２５】
また、上述した報知領域４０は一例である。報知領域４０は、少なくとも、検出装置１１で冷媒を検出した報知装置１０が配置されている部屋と、該部屋に隣接している部屋とを含む領域であればよい。
【００２６】
図２は、本発明の実施の形態に係る報知システムの別の一例を示す図である。なお、図２は、報知システム１を建物に設置した例を示している。
報知領域４０を、例えば図２に示すような領域としてもよい。図２に示す報知システム１は、検出装置１１で冷媒を検出した報知装置１０が配置されている部屋と、該部屋に隣接している部屋と、通路１２０を挟んでこれらの部屋と向かい合っている部屋と、を報知領域４０としている。例えば、部屋１０４に配置された報知装置１０の検出装置１１が、部屋１０４に漏洩した冷媒を検出したとする。この場合、部屋１０４と、部屋１０４に隣接する部屋１０３及び部屋１０５と、通路１２０を挟んでこれらの部屋と向かい合っている部屋１１０〜１１２とが、図２に示す報知システム１の報知領域４０となっている。
【００２７】
続いて、本実施の形態に係る報知システム１の動作について説明する。なお、以下では、部屋１０４に冷媒が漏洩した場合を例に、報知システム１の動作を説明する。
【００２８】
部屋１０４に冷媒が漏洩した場合、部屋１０４に配置された報知装置１０の検出装置１１は、部屋１０４に漏洩した冷媒を検出する。そして、部屋１０４に配置された報知装置１０は、出力装置１２から情報を出力する。このため、部屋１０４にいる人は、出力装置１２から情報が出力されていることに気づき、避難することができる。
【００２９】
ここで、例えば、可燃性冷媒が漏洩した際、可燃性冷媒の濃度が既定値以上に上昇すると、引火又は発火によって爆発が発生する場合がある。このような場合、冷媒が漏洩している部屋１０４と隣接している部屋１０３及び部屋１０５にいる人等、冷媒が漏洩している部屋１０４周辺部屋にいる人にも、影響を及ぼす可能性がある。このため、本実施の形態に係る報知システム１においては、部屋１０４に配置された報知装置１０の検出装置１１が冷媒を検出した際、報知領域４０内の部屋のうちの部屋１０４以外の部屋に配置された報知装置１０の出力装置１２からも、情報を出力させる。このため、本実施の形態に係る報知システム１においては、冷媒が漏洩した部屋１０４周辺の部屋にいる人も、出力装置１２から情報が出力されていることに気づき、避難することができる。したがって、本実施の形態に係る報知システム１は、冷媒が漏洩した部屋１０４周辺の部屋にいる人の安全も確保することができる。
【００３０】
以上、本実施の形態に係る報知システム１は、異なる部屋に配置される複数の報知装置１０を備えている。また、報知装置１０のそれぞれは、冷媒を検出する検出装置１１と、検出装置１１が冷媒を検出した際に文字、画像、音及び光のうちの少なくとも１つを情報として出力する出力装置１２と、を有している。ここで、複数の報知装置１０のうち、検出装置１１で冷媒を検出した報知装置１０を第１報知装置とし、第１報知装置が配置されている部屋を第１部屋とし、第１部屋及び該第１部屋に隣接する部屋を含む領域を報知領域４０する。この場合、本実施の形態に係る報知システム１においては、第１報知装置の検出装置１１が冷媒を検出した際、報知領域４０内の部屋に配置された報知装置１０の出力装置１２が情報を出力する構成となっている。したがって、本実施の形態に係る報知システム１は、冷媒が漏洩している第１部屋にいる人のみならず、冷媒が漏洩した第１部屋周辺の部屋にいる人の安全も確保することができる。
【００３１】
なお、本実施の形態では、報知領域４０を一定の大きさに固定した例について説明した。これに限らず、報知領域４０の大きさは、条件に応じて変更されてもよい。この場合、報知システム１を、例えば図３のように構成すればよい。
【００３２】
図３は、本発明の実施の形態に係る報知システムの別の一例を示す図である。なお、図３は、報知システム１を建物に設置した例を示している。
図３に示す報知システム１は、集中コントローラ３０の制御装置３１の機能部として、報知領域４０の大きさを設定する設定部３４を有している。なお、報知システム１が集中コントローラ３０を設けていない構成の場合、例えば、複数の報知装置１０のうちの少なくとも１つが、設定部３４を備えることとなる。
【００３３】
例えば、可燃性冷媒は、種類によって発生する爆発の規模が異なる。このため、可燃性冷媒の種類によって、避難すべき領域が異なってくる。したがって、冷媒の種類によって、報知領域４０の大きさを変更してもよい。この場合、記憶部３２に、冷媒の種類と報知領域４０の大きさとを対応づけたデータを記憶させておけばよい。そして、例えば報知システム１を設置する際に、例えば記憶部３２に、報知システム１が設置される範囲に使用されている冷媒の種類を登録すればよい。すなわち、例えば記憶部３２に、報知装置１０の検出装置１１が検出する冷媒の種類を登録すればよい。これにより、設定部３４は、冷媒の種類と報知領域４０の大きさとを対応づけたデータと、使用されている冷媒の種類とに基づき、冷媒の種類によって報知領域４０の大きさを異ならせることができる。
【００３４】
また例えば、同一の可燃性冷媒でも、漏洩する冷媒量によって、発生する爆発の規模が異なる。このため、漏洩する冷媒量に応じて報知領域４０の大きさを変更してもよい。この場合、例えば、記憶部３２に基準値及び閾値を記憶させておく。そして、報知装置１０の検出装置１１が冷媒を検出した際、設定部３４は、検出装置１１の検出値と基準値との差の絶対値を算出し、当該絶対値と閾値とを比較する。そして、設定部３４は、当該絶対値が閾値よりも大きい場合、当該絶対値が閾値以下の場合と比べて、報知領域４０の大きさを大きくする。
【００３５】
詳しくは、報知装置１０の検出装置１１が冷媒検出センサーを用いた構成である場合、冷媒検出センサーは、冷媒の濃度を検出できる。そして、漏洩する冷媒量が多いほど、検出装置１１の検出値である冷媒の濃度が高くなる。すなわち、検出装置１１が検出する冷媒の濃度が高いほど、検出装置１１の検出値は、基準値よりも大きくなる。つまり、検出装置１１の検出値と基準値との差の絶対値が大きくなる。このため、設定部３４が上述のように報知領域４０の大きさを設定することにより、漏洩する冷媒量が多い場合に、漏洩する冷媒量が少ない場合よりも、報知領域４０の大きさを大きくすることができる。
【００３６】
また、報知装置１０の検出装置１１が圧力センサーを用いた構成である場合、漏洩する冷媒量が多いほど、冷媒回路内の冷媒量が減少するため、検出装置１１の検出値である圧力が低くなる。すなわち、検出装置１１が検出する圧力が低いほど、検出装置１１の検出値は、基準値よりも小さくなる。つまり、検出装置１１の検出値と基準値との差の絶対値が大きくなる。このため、設定部３４が上述のように報知領域４０の大きさを設定することにより、漏洩する冷媒量が多い場合に、漏洩する冷媒量が少ない場合よりも、報知領域４０の大きさを大きくすることができる。
【００３７】
なお、記憶部３２に、検出装置１１の検出値と基準値との差の絶対値と、報知領域４０の大きさとを対応づけたデータを記憶させておいてもよい。そして、設定部３４は、検出装置１１の検出値と基準値との差の絶対値と、記憶部３２に記憶されているデータとに基づき、報知領域４０の大きさを設定してもよい。このような方法で漏洩する冷媒量に応じて報知領域４０の大きさを変更する場合でも、見た目上、報知領域４０の大きさの設定動作は、閾値で報知領域４０を設定した場合と同様になる。すなわち、検出装置１１の検出値と基準値との差の絶対値が閾値よりも大きい場合、検出装置１１の検出値と基準値との差の絶対値が閾値以下の場合と比べて、報知領域４０の大きさが大きくなる。
【００３８】
また、本実施の形態では、報知装置１０の出力装置１２からの具体的な情報の出力の仕方については、特に言及しなかった。報知装置１０の出力装置１２は、例えば以下のように情報を出力してもよい。
【００３９】
出力装置１２が文字及び画像のうちの少なくとも一方を情報として出力できる構成である場合、出力装置１２のそれぞれは、避難経路情報を出力してもよい。避難経路情報とは、例えば、報知システム１が設置されている範囲の地図上に、避難経路を示した画像である。また例えば、避難経路情報とは、避難経路を説明した文章である。すなわち、避難経路情報は、避難経路がわかる情報であればよい。出力装置１２が避難経路情報を出力することにより、該情報を見て部屋から避難する人が避難経路を容易に理解でき、部屋から避難する人の安全性をより向上させることができる。
【００４０】
また、出力装置１２が文字及び画像のうちの少なくとも一方を情報として出力できる構成である場合、出力装置１２のそれぞれは、冷媒が漏洩した部屋の位置情報を出力してもよい。冷媒が漏洩した部屋の位置情報とは、例えば、報知システム１が設置されている範囲の地図上において、冷媒が漏洩した部屋を指し示すマーク等を付した画像である。また例えば、冷媒が漏洩した部屋の位置情報とは、冷媒が漏洩した部屋の番号又は名称等である。すなわち、冷媒が漏洩した部屋の位置情報は、冷媒が漏洩した部屋がわかる情報であればよい。出力装置１２が冷媒が漏洩した部屋の位置情報を出力することにより、該情報を見て部屋から避難する人は、冷媒が漏洩している部屋から遠ざかる方向へ避難することができる。したがって、該情報を見て部屋から避難する人の安全性を、より向上させることができる。
【００４１】
また、出力装置１２が音を情報として出力できる構成である場合、冷媒が漏洩した部屋に配置された報知装置１０の出力装置１２が出力する音の大きさを、この報知装置１０以外の報知装置１０の出力装置１２が出力する音よりも大きくしてもよい。すなわち、検出装置１１によって冷媒を検出した報知装置１０の出力装置１２が出力する音の大きさを、この報知装置１０以外の報知装置１０の出力装置１２が出力する音よりも大きくしてもよい。これにより、出力装置１２から出力される音を聞いて部屋から避難した人は、どの部屋に冷媒が漏洩しているかを、音の大きさの違いから認識することができる。このため、出力装置１２から出力される音を聞いて部屋から避難した人は、冷媒が漏洩している部屋から遠ざかる方向へ避難することができる。したがって、出力装置１２から出力される音を聞いて部屋から避難した人の安全性を、より向上させることができる。
【００４２】
なお、上述のように出力装置１２が音を出力する場合、報知領域４０外の部屋に配置された報知装置１０を、例えば次の様に動作させてもよい。
【００４３】
例えば、報知領域４０内の部屋に配置された報知装置１０の出力装置１２が音を出力すると共に、報知領域４０外の部屋に配置された報知装置１０の出力装置１２も音を出力する構成としてもよい。より多くの部屋から人を非難させることができ、安全性が向上する。この際、報知領域４０内の部屋に配置された報知装置１０の出力装置１２が出力する音の大きさを、報知領域４０外の部屋に配置された報知装置１０の出力装置１２が出力する音よりも大きくすることが好ましい。出力装置１２から出力される音を聞いて部屋から避難した人は、冷媒が漏洩している部屋から遠ざかる方向避難することができるからである。
【００４４】
一方、報知領域４０外の部屋に配置された報知装置１０の出力装置１２も音を出力した場合、過大な範囲の人を非難させてしまう場合もある。このため、報知装置１０の検出装置１１によって冷媒を検出した際、報知領域４０外の部屋に配置された報知装置１０の出力装置１２は音を出力しない構成としてもよい。これにより、過大な範囲の人を非難させてしまうことを防止できる。また、報知領域４０内の部屋から非難した人は、どこに逃げると音が小さくなるのかを、明確に理解できる。このため、報知領域４０内の部屋から非難した人を安全な場所へ導くことが容易となる。
【符号の説明】
【００４５】
１  報知システム、１０  報知装置、１１  検出装置、１２  出力装置、２０  室内機、２１  通信線、３０  集中コントローラ、３１  制御装置、３２  記憶部、３３  制御部、３４  設定部、４０  報知領域、１０１〜１１４  部屋、１２０  通路。
【図１】
2019039567.tif 000003
【図２】
2019039567.tif 000004
【図３】
2019039567.tif 000005